(57)【要約】【課題】少々の雨であれば、防水カバーを被せなくとも済むようなファスナー構造を提供する。【解決手段】一条当たり第１スライダー１０と第２スライダー２０とからなる２個のスライダー１０、２０を有するファスナー３０において、第１スライダー１０の先端部には、第２スライダー２０側へ延びる第１舌部１６が一体形成されており、第２スライダー２０の先端部には、第１スライダー１０側へ延びつつ第１舌部１６に潜る第２舌部２６が一体形成されている。【効果】第１スライダーの先端と第２スライダーの先端との間が塞がれ、雨の侵入を防止することができる。【選択図】図２
2019216977.tif 000002
【特許請求の範囲】
【請求項１】
一条当たり第１スライダーと第２スライダーとからなる２個のスライダーを有するファスナーにおいて、
前記第１スライダーの先端部に前記第２スライダーの先端部を当てることにより、前記ファスナーが閉じ状態とされ、
前記第１スライダーの先端部には、前記第２スライダー側へ延びる第１舌部が一体形成されており、
前記第２スライダーの先端部には、前記第１スライダー側へ延びつつ前記第１舌部に潜る第２舌部が一体形成されていることを特徴とするファスナー。
【請求項２】
請求項１記載のファスナーであって、
前記第２舌部の上面に、前記第１舌部を収納する凹部が設けられていることを特徴とするファスナー。
【請求項３】
請求項１又は請求項２記載のファスナーであって、
防水ファスナーであることを特徴とするファスナー。
【請求項４】
請求項１〜３のいずれか１項記載のファスナーと、
このファスナーで開閉自在に繋がれるケース本体及びこのケース本体の開口を塞ぐ蓋体とを備えていることを特徴とするスーツケース。
【発明の詳細な説明】
【技術分野】
【０００１】
本発明は、ファスナー及びこのファスナーを備えるスーツケースに関する。
【背景技術】
【０００２】
ファスナーは、種々の形式のものが実用化されている。その一種に、リニアファスナーと呼ばれるものがある。リニアファスナーは、スライダーを直線的に引くことで、ファスナーを閉じ状態又は開状態にするものである。
このようなリニアファスナーでは、一条当たり１個のスライダーを備えるものと、２個のスライダーを備えるものが普及している。
一条当たり２個のスライダーを備えたファスナー及びこのファスナーを備えたスーツケースが知られている（例えば、特許文献１（図１）参照）。
【０００３】
特許文献１に開示されるスーツケースは、一条当たり２個のスライダーを備えているため、各スライダーの走行距離が半分になり、開閉操作に係る時間が短くなるという利点がある。
【０００４】
従来のスライダーの構造を、図９に基づいて説明する。
図９（ａ）はスライダーの平面図であり、図９（ｂ）はスライダーの側面図である。
図９（ｂ）に示すように、スライダー１００は、船の舳先の役割を果たす三角柱１０１と、この三角柱１０１の下端に接続される底板１０２と、三角柱１０１の上端に接続される天板１０３と、この天板１０３に取付けられるＵ字環１０４と、このＵ字環１０４に移動可能に嵌められる引き手１０５とからなる。
【０００５】
図９（ａ）に示すように、天板１０３（及び底板１０２）は、先広がり形状を呈している。結果、天板１０３（及び底板１０２）の先端は、スライダー中心線１０６に直交する辺１０７と、この辺１０７の両端から伸びて辺１０７に対して傾斜している傾斜辺１０８、１０８とからなる。
【０００６】
図１０は従来のスライダーの平面図であり、ファスナー１１０は、２個のスライダー１００Ａ、１００Ｂを備えている。スライダー１００Ａとスライダー１００Ｂの先端同士が当たることで、閉じ状態が完成する。すなわち、一方のファスナー歯列１１１に他方のファスナー歯列１１２が噛み合うことでファスナー１１０は閉じられる。
【０００７】
ところで、一方のスライダー１００Ａの傾斜辺１０８Ａと他方のスライダー１００Ｂの傾斜辺１０８Ｂとの間から、１〜２個のファスナー歯列１１１、１１２が見える。
図１０において、紙面表側から雨滴が紙面に落下することを検討する。
一方のスライダー１００Ａより左側においては、一方のファスナー歯列１１１に他方のファスナー歯列１１２が噛み合っているため、雨滴はある程度止められる。他方のスライダー１００Ｂの右側においても同様である。
【０００８】
対して、一方のスライダー１００Ａの傾斜辺１０８Ａと他方のスライダー１００Ｂの傾斜辺１０８Ｂとの間では、一方のファスナー歯列１１１に他方のファスナー歯列１１２が噛み合っていないため、雨滴は簡単に紙面表から裏へ侵入する。
【０００９】
スーツケースは、屋外で持ち歩るかれることが多い。このときに、にわか雨に遭遇することがある。
従来のファスナー１１０を装備しているスーツケースであれば、防水カバーを被せて、内容物の保護を図る必要がある。防水カバーを被せることは面倒である。防水カバーは紛失する心配がある。
そこで、少々の雨であれば、防水カバーを被せなくとも済むようなファスナー構造が望まれる。
【先行技術文献】
【特許文献】
【００１０】
【特許文献１】実用新案登録第３２１５４３１号公報
【発明の概要】
【発明が解決しようとする課題】
【００１１】
本発明は、少々の雨であれば、防水カバーを被せなくとも済むようなファスナー構造を提供することを課題とする。
【課題を解決するための手段】
【００１２】
請求項１に係る発明は、一条当たり第１スライダーと第２スライダーとからなる２個のスライダーを有するファスナーにおいて、
前記第１スライダーの先端部に前記第２スライダーの先端部を当てることにより、前記ファスナーが閉じ状態とされ、
前記第１スライダーの先端部には、前記第２スライダー側へ延びる第１舌部が一体形成されており、
前記第２スライダーの先端部には、前記第１スライダー側へ延びつつ前記第１舌部に潜る第２舌部が一体形成されていることを特徴とする。
【００１３】
請求項２に係る発明は、請求項１記載のファスナーであって、
前記第２舌部の上面に、前記第１舌部を収納する凹部が設けられていることを特徴とする。
【００１４】
請求項３に係る発明は、請求項１又は請求項２記載のファスナーであって、
防水ファスナーであることを特徴とする。
【００１５】
請求項４に係る発明は、請求項１〜３のいずれか１項記載のファスナーと、
このファスナーで開閉自在に繋がれるケース本体及びこのケース本体の開口を塞ぐ蓋体とを備えていることを特徴とするスーツケースを提供する。
【発明の効果】
【００１６】
請求項１に係る発明では、第１スライダーに第１舌部を設け、第２スライダーに第２舌部を設け、これらの第１舌部と第２舌部とを平面視で重なるようにした。
従来は、第１スライダーの先端と第２スライダーの先端との間に隙間ができ、この隙間から雨が侵入していた。
この点、本発明では、第１舌部と第２舌部とが平面視で重なっているため、第１スライダーと第２スライダーとの間において、雨の侵入を防止することができる。
すなわち、本発明によれば、少々の雨であれば、防水カバーを被せなくとも済むようなファスナー構造が提供される。
【００１７】
請求項２に係る発明では、第２舌部に凹部を設け、この凹部に第１舌部を収納するようにした。収納することで、第１スライダーは、移動方向に直交する方向への移動が防止される。
【００１８】
請求項３に係る発明では、ファスナーは、防水ファスナーである。第１舌部と第２舌部と防水ファスナーとの相乗効果により、ファスナーの防水機構を強化することができる。
【００１９】
請求項４に係る発明では、請求項１〜３のいずれか１項記載のファスナーと、このファスナーで開閉自在に繋がれるケース本体及びこのケース本体の開口を塞ぐ蓋体とを備えていることを特徴とするスーツケースが提供される。
すなわち、本発明によれば、少々の雨であれば、防水カバーを被せなくとも済むようなスーツケースが提供される。
【図面の簡単な説明】
【００２０】
【図１】本発明に係るスライダーの平面図及び側面図である。
【図２】本発明に係るファスナーの平面図である。
【図３】本発明に係るスーツケースの斜視図である。
【図４】図４（ａ）は図２の４ａ−４ａ線断面図、図４（ｂ）〜（ｄ）は変更例を説明する断面図である。
【図５】防水ファスナーの一例を示す平面図である。
【図６】別の防水ファスナーの例を示す断面図である。
【図７】変更例に係るスライダーの平面図及び側面図である。
【図８】図７に示すスライダーの作用を説明する図である。
【図９】従来のスライダーの平面図及び側面図である。
【図１０】従来のファスナーの平面図である。
【発明を実施するための形態】
【００２１】
本発明の実施の形態を添付図に基づいて以下に説明する。なお、図面は符号の向きに見るものとする。
【実施例】
【００２２】
本発明に係る第１スライダー１０と第２スライダー２０の構造を、平面図である図１（ａ）と側面図である図１（ｂ）に基づいて詳しく説明する。説明の都合で、図１（ｂ）を先に説明する。
図１（ｂ）に示すように、第１スライダー１０は、船の舳先に相当する三角柱１１と、この三角柱１１の一端（図では下端）に固定された底板１２と、三角柱１１の他端（図では上端）に固定された上板１３と、この上板１３に固定されたＵ字環１４と、このＵ字環１４に止められた引き手１５とを有する。
そして、上板１３は、先端部に第１舌部１６を備えている。第１舌部１６は第２スライダー２０へ延びている。
【００２３】
同様に、第２スライダー２０は、三角柱２１と、この三角柱２１の一端に固定された底板２２と、三角柱２１の他端に固定された上板２３と、この上板２３に固定されたＵ字環２４と、このＵ字環２４止められた引き手２５とを有する。
そして、上板２３は、先端部に第２舌部２６がを備えている。第２舌部２６は第１スライダー１０へ延びており、前方に開口する凹部２７を有する。凹部２７の深さは上板２３の厚さと略同一である。
【００２４】
このようなスライダー１０、２０を備えるファスナーの構造を、図２に基づいて説明する。
図２に示すように、ファスナー３０は、一対のテープ３１Ａ、３１Ｂと、これらのテープ３１Ａ、３１Ｂの各々に取付けた一対のファスナー歯列３２Ａ、３２Ｂと、これらのファスナー歯列３２Ａ、３２Ｂを噛み合わせる／分離する２個のスライダー１０、２０とからなる。すなわち、第１スライダー１０の先端部に第２スライダー２０の先端部を当てることにより、ファスナー３０が閉じられる。
【００２５】
第１舌部１６を第２舌部２６に重ねたことにより、第１スライダー１０と第２スライダー２０との間の隙間が塞がれる。結果、小規模な雨であれば、ファスナー３０で、ある程度は止めることができる。
【００２６】
このような構造のファスナー３０は、スーツケース、鞄、バッグ、リュックなどに取付けることができる。スーツケースに取付けた例を、図３に基づいて説明する。
図３に示すように、スーツケース４０は、伸縮ハンドル４１を有するケース本体４２と、このケース本体４２の開口を閉じる蓋体４３と、この蓋体４３をケース本体４２に開閉可能に連結する第１布ヒンジ４４と、蓋体４３とケース本体４２を接続するファスナー３０と、蓋体４３の前面に設けられ蓋体４３より一回り小さな前ポケット４６と、この前ポケット４６の下辺を蓋体４３に連結する第２布ヒンジ４７と、前ポケット４６を蓋体４３に接続する第２ファスナー４８とを備えている。
【００２７】
ファスナー３０は、一条当たり２個のスライダー１０、２０を備えている。
図２で説明したように、第１スライダー１０は第１舌部１６を有し、第２スライダー２０は第２舌部２６を有し、この第２舌部２６に第１舌部１６が重なっているため、図３に示すスーツケース４０は、簡易的な防水機能を有する。
【００２８】
ファスナー３０は、第１舌部１６と第２舌部２６とが必須であるが、第２ファスナー４８は、第１舌部１６と第２舌部２６とが必須ではない。すなわち、第２ファスナー４８は、普通のファスナーであってもよい。
普通のファスナーであれば、入手が容易で安価である。壊れたときの交換費用も安上がりになる。
【００２９】
図４（ａ）は、図２の４ａ−４ａ線断面図であり、第２舌部２６に設けた凹部２７に第１舌部１６が嵌っている。図面表裏方向がスライダーの移動方向となる。第１舌部１６の水平移動（図面での左右移動、スライダーの移動方向に直交する方向への移動）が阻止されるため、第２舌部２６に対する第１舌部１６の収まりがよくなる。
図４（ｂ）は、変更例を示し、凹部１７を第１舌部１６に設け、この凹部１７に第２舌部２６を収納するようにした。
【００３０】
図４（ｃ）は、さらなる変更例を示し、第２舌部２６は平坦である。第２舌部２６の製造コストが低減できる。
図４（ｄ）は、さらなる変更例を示し、凹部２７は円弧底を有する。第２舌部２６を凹面鏡断面とし、第１舌部１６を凸面鏡断面とする。第１舌部１６の水平移動（図面での左右移動）が阻止されるため、第２舌部２６に対する第１舌部１６の収まりがよくなる。
第２舌部２６を凸面鏡断面とし、第１舌部１６を凹面鏡断面としてもよい。
よって、第２舌部２６に凹部２７を設けるか否かは任意である。凹部２７を設ける場合、凹部２７の形状は任意である。
【００３１】
図２で説明したファスナー３０は、非防水ファスナーと防水ファスナーの何れでもよい。好ましくは防水ファスナーとする。防水ファスナーであれば、スーツケース等の防水性能を高めることができる。
防水ファスナーの具体例を、図５及び図６に基づいて説明する。
【００３２】
図５に示すように、ファスナー３０は、一対のファスナー歯列３２Ａ、３２Ｂを、軟質樹脂のような弾性体で構成される防水ファスナーである。すなわち、ファスナー歯列３２Ａ、３２Ｂが弾性変形しつつ、防水性能を発揮する。
【００３３】
または、図６（ａ）に示すように、ケース本体４２に、チャンネル３３Ａ及びテープ３１Ａを載せ、これらをケース本体４２に糸３４Ａで縫って固定する。縫製後にチャンネル２１をＵ字状にして、糸３４Ａを隠すようにする。
【００３４】
さらに、テープ３１Ａの先端にファスナー歯列３２Ａが設けられている。加えて、ケース本体４２の端部には、先端が谷形のシール材３５Ａが取付けられている。この谷形のシール材３５Ａは、ファスナー歯列３２Ａの下に配置される。
【００３５】
また、蓋体４３に、チャンネル３３Ｂ及びテープ３１Ｂを載せ、これらを蓋体４３に糸３４Ｂで縫って固定する。縫製後にチャンネル３３ＢをＵ字状にして、糸３４Ｂを隠すようにする。
【００３６】
さらに、テープ３１Ｂの先端にファスナー歯列３２Ｂが設けられている。加えて、蓋体４３の端部には、先端が山形のシール材３５Ｂが取付けられている。この山形のシール材３５Ｂは、ファスナー歯列３２Ｂの下に配置される。
【００３７】
スライダーで、ファスナー歯列３２Ａにファスナー歯列３２Ｂを噛み合わせると、シール材３５Ａの谷にシール材３５Ｂの山が密着する。
図６（ｂ）に示すように、谷形のシール材３５Ａが山形のシール材３５Ｂに密着することで、防水性能が発揮される。
【００３８】
なお、本発明での防水性能や防水性は、簡易防水（生活防水とも呼ばれる。）や防滴を意味する。
簡易防水（生活防水）は、降水時の雨水程度に対応する程度の防水性能を意味する。
防滴は、滴下する水滴に対応する程度の防水性能を意味する。
【００３９】
次に、スライダー１０、２０の変更例を、図７に基づいて説明する。
図７（ｂ）に示すように、図１と異なる点は、第１スライダー１０のＵ字環１４に、第２スライダー２０側へ延びる第１突起プレート１８を設け、第２スライダー２０のＵ字環２４に、第１スライダー１０側へ延びる第２突起プレート２８を設けたことにある。
第１突起プレート１８に穴１９が開いており、第２突起プレート２８にも穴２９が開いている。
【００４０】
その他の構成要素は、図１と共通するため、図１の符号を流用し、詳細な説明は省略する。
図７（ａ）に示すように、第２舌部２６に設けた凹部２７に第１舌部１６を挿入することができる。このときに、第１突起プレート１８に第２突起プレート２８が重なる。この重なった形態を、図８に示す。
【００４１】
図８に示すように、第１舌部１６が第２舌部２６に載ったときに、穴１９と穴２９とが連通状態になる。穴１９と穴２９に南京錠などの錠前５１で施錠する。施錠により、防犯が図れると共に、第１スライダー１０から第２スライダー２０が離れることを防止することができる。離れないため、第１舌部１６が第２舌部２６に載った状態が維持され、防水性能が保たれる。
【産業上の利用可能性】
【００４２】
本発明のファスナーは、スーツケースに好適である。
【符号の説明】
【００４３】
１０…第１スライダー、１６…第１舌部、２０…第２スライダー、２６…第２舌部、２７…凹部、３０…ファスナー、４０…スーツケース、４２…ケース本体、４３…蓋体。
【図１】
2019216977.tif 000003
【図２】
2019216977.tif 000004
【図３】
2019216977.tif 000005
【図４】
2019216977.tif 000006
【図５】
2019216977.tif 000007
【図６】
2019216977.tif 000008
【図７】
2019216977.tif 000009
【図８】
2019216977.tif 000010
【図９】
2019216977.tif 000011
【図１０】
2019216977.tif 000012